(57)【要約】  首装具(１０)は、着用者の首の周りに配されるカラー部材(１２)と、このカラー部材(１２)から延在して着用者の背中に当接する後方部材(１４)とを有している。この装具は、カラー部材を後方部材に留めるための取り外し可能な留め手段(７４，７５，８８ａ，８８ｂ，９２)をさらに具え、カラー部材および後方部材もまた取り外し可能となっている。
2010519978.tif 000002
【特許請求の範囲】
【請求項１】
着用者の首の周りに配されるカラー部材(１２)と、
このカラー部材(１２)から延在して着用者の背中に当接する後方部材(１４)と
を有する首装具(１０)であって、
前記カラー部材を前記後方部材に留めるための取り外し可能な留め手段(７４，７５，８８ａ，８８ｂ，９２)をさらに具え、前記カラー部材および前記後方部材もまた取り外し可能なようになっていることを特徴とする首装具。
【請求項２】
前記取り外し可能な留め手段は単一動作の取り外し可能な留め部材(９２)を具え、この留め部材は前記カラー部材および前記後方部材を取り外すために利用者によって行われる単一動作で操作可能であることを特徴とする請求項１に記載の首装具(１０)。
【請求項３】
前記カラー部材(１２)は、前記取り外し可能な留め部材(９２)によって相互に連結される２つの別々な部分(１６，１８)を具えたことを特徴とする請求項１または請求項２に記載の首装具(１０)。
【請求項４】
前記取り外し可能な留め部材(９２)は、前記２つの部分(１６，１８)を旋回するように取り付けられ、これらを広げるためにこれらが前記取り外し可能な留め部材(９２)に対して回転できるようになっていることを特徴とする請求項３に記載の首装具(１０)。
【請求項５】
前記取り外し可能な留め部材が対応する受け座(７５)に固定可能な横方向突起(９６)を持つ回転可能なピン部材(９２)であることを特徴とする請求項３または請求項４に記載の首装具(１０)。
【請求項６】
前記回転可能なピン部材(９２)は、前記カラー部材(１２)の一方の部分(１８)と一体に取り付け可能な孤立部品であり、前記対応する受け座(７５)が前記後方部材(１４)にて得られることを特徴とする請求項５に記載の首装具(１０)。
【請求項７】
一方の部分(１８)は、孤立したピン部材(９２)に設けられた平坦な頭部(９０)を相補的に収容可能な多角形の凹部(８３)を有することを特徴とする請求項６に記載の首装具(１０)。
【請求項８】
前記回転可能なピン部材(９２)が前記カラー部材(１２)の一方の部分(１８)と常に一体であり、前記対応する受け座(７５)が後方部材(１４)にて得られることを特徴とする請求項５に記載の首装具(１０)。
【請求項９】
前記２つの部分(１６，１８)は、それらの後端部(１７，１９)において互いの方に曲げられると共にそこに平坦な領域(８２ａ，８２ｂ)を有し、前記２つの部分(１６，１８)の少なくとも一方が通過溝(８８ａ、８８ｂ)を有し、前記横方向突起(９６)は前記対応する受け座(７５)に達するように後方部材(１４)に差し込み可能であり、前記溝(８８ａ，８８ｂ)および前記横方向突起(９６)は、前記２つの部分(１６，１８)の所与の広がりのために調整されるが如く、角度を合わせて配されていることを特徴とする請求項６から請求項８の何れかに記載の首装具(１０)。
【請求項１０】
前記後方部材(１４)は、流線形の隆起部(４５)に最終的に収容できるベース板(６０)と、これに蝶番式に取り付けられた支持部材(７０)とを具えていることを特徴とする請求項５から請求項９の何れかに記載の首装具(１０)。
【請求項１１】
ベース板(６０)がこれを乗員の衣服に留めるための取り外し可能な留め手段を具えていることを特徴とする請求項１０に記載の首装具(１０)。
【請求項１２】
前記ベース板(６０)に前記取り外し可能な留め手段は、衣服に設けたスタッドに係合可能な複数の開口および／またはベルクロ片を具えていることを特徴とする請求項１１に記載の首装具(１０)。
【請求項１３】
前記支持部材(７０)は、横方向溝(７５)が前記横方向突起(９６)に係合するような寸法に形成された上板(７４)を具えていることを特徴とする請求項１０から請求項１２の何れかに記載の首装具(１０)。
【請求項１４】
前記上板(７４)は、突出すると共に前記ベース板(６０)に当接するアーチ状の脚部(７２ａ，７２ｂ)を具えていることを特徴とする請求項１３に記載の首装具(１０)。
【請求項１５】
前記上板(７４)の表面には、その溝(７５)の近傍に前記横方向突起(９６)を所定位置に固定可能な凸レンズ状くぼみ(９８ａ，９８ｂ)があることを特徴とする請求項１３または請求項１４に記載の首装具(１０)。
【請求項１６】
前記カラー部材(１２)には利用者の頭部の後方移動を制止するための後方リップ(８４ａ，８４ｂ)が設けられていることを特徴とする請求項３から請求項１３の何れかに記載の首装具(１０)。
【請求項１７】
前記後方リップは、前記２つの部分(１６，１８)から外側に突出する突出リム(８４ａ，８４ｂ)を具えていることを特徴とする請求項１６に記載の首装具(１０)。
【発明の詳細な説明】
【技術分野】
【０００１】
本発明は、着用者、特にスポーツ活動、例えば自動車レースにおける乗員の頭部および首に対してヘルメットにより与えられる保護を強化するために用いられる首装具に関する。
【背景技術】
【０００２】
昨今、自動車レースの如きスポーツ活動における当事者にとって予期しない事故での彼らの頭部を保護するためにヘルメットを着用することが必須である。
【０００３】
着用者に対する付加的な保護を確実にするため、弾力のある材料、一般的には硬質発泡体で作られて着用者の胴体上部とヘルメットの基部との間に配されるカラーの使用が提案されている（例えば特許文献１を参照のこと）。その目的は、ヘルメットが動く可能性のある隙間を減少させることにより、衝突の際の頭部の動きをある程度制限することにある。
【０００４】
他の首装具は、この首装具の安定性を最大にするため、着用者の胸および背中まで延在している。
【０００５】
従って、特許文献２は、２つの硬質部品、前方部分と後方部分とから作られ、相互に首の周りに締結可能な頸部カラーを開示する。
【０００６】
特許文献３は、カラー部材と後方部材とを持った首装具を開示する。このカラー部材は２つの部分に蝶番式に取り外し可能であって、これらの間に首を挿入するために横に開くのに対し、後方部材は２つの部分の一方に固定される。
【先行技術文献】
【特許文献】
【０００７】
【特許文献１】米国特許第６０５８５１７号明細書
【特許文献２】米国特許第６４９４８５４号明細書
【特許文献３】国際公開ＷＯ２００５０５１２５２号パンフレット
【発明の概要】
【発明が解決しようとする課題】
【０００８】
しかしながら、これらのカラーは、既定の形状を有していて使用者に合わせた変更ができないため、着用性が良くない可能性がある。
【０００９】
この種の首装具は、これらが人の身体に適合させるのに困難であって、着用しにくいという大きな欠点を有する。さらに、これらの装具は、過度の拘束性を持ち、利用者がそのスポーツに参加するために着用しなければならない可能性がある防護衣料の他の特徴と容易には協調しない。
【００１０】
［発明の目的］
本発明の主たる目的は、上述した欠点のいくつかを克服することができる首装具を提供することにある。
【課題を解決するための手段】
【００１１】
この目的は、
着用者の首の周りに配されるカラー部材と、
このカラー部材から延在して着用者の背中に当接する後方部材と
を有し、前記カラー部材を前記後方部材に留めるための取り外し可能な留め手段をさらに具え、前記カラー部材および前記後方部材もまた取り外し可能なようになっていることを特徴とする首装具によって得られる。
【００１２】
好ましくは、前記取り外し可能な留め手段が単一動作の取り外し可能な留め部材を具え、この留め部材は前記カラー部材および前記後方部材を取り外すために利用者によって行われる単一動作で操作可能である。これは、この装具の着用性と快適性とを高める。
【００１３】
好ましくは、前記カラー部材が前記取り外し可能な留め部材によって相互に連結される２つの別々な部分を具え、単一動作の取り外し可能な留め部材であることが好都合な可能性がある。これは、単純かつ容易な動きを伴ってこの装具を迅速に装着することを可能にする。
【００１４】
好ましくは、前記取り外し可能な留め部材が前記２つの部分を旋回するように取り付けられ、これらを広げるためにこれらが前記取り外し可能な留め部材に対して回転できるようになっている。これは、単純かつ容易な動きを伴ってこの装具を迅速に装着することをさらに可能にする。
【００１５】
好ましくは、前記取り外し可能な留め部材が対応する受け座に固定可能な横方向突起を持つ回転可能なピン部材である（後者を前記カラー部材または前記後方部材の何れかに形成することができる）。
【００１６】
変形例として、前記回転可能なピン部材は、前記カラー部材の一方の部分と一体に取り付け可能な孤立部品であり、前記対応する受け座が前記後方部材にて得られる。この場合、一方の部分は、孤立したピン部材に設けられた平坦な頭部を相補的に収容可能な多角形の凹部を有することができる。これは単純であるが、前記回転可能なピン部材と前記カラー部材とを結合する有効な方法である。さもなければ、前記回転可能なピン部材は前記カラー部材の一方の部分と常に一体であってよい。
【００１７】
本発明のさらなる特徴および利点は、添付図面を参照しつつ以下のいくつかのその実施形態の説明からさらに良好に見えてこよう。
【図面の簡単な説明】
【００１８】
【図１】首装具の部品の分解図を示す。
【図２】図１の首装具の主要な基本部品のさらなる分解図を示す。
【図３】図１の組み立てた首装具の底面図を示す。
【発明を実施するための形態】
【００１９】
以下において、添字「ａ」および「ｂ」付きの参照符号が、この首装具において同等または対応する部品であることを理解すべきである。
【００２０】
最初に図１を参照すると、参照符号１０で概ね示される首装具は、使用中に着用者の首の周りに延在するカラー部材１２と、使用中に着用者の背中に載る後方部材１４とを有する。
【００２１】
カラー部材１２は、２つの半円形の部分１６，１８を具え、閉鎖手段、例えば取り外し可能なバックル２０を介して正面で（すなわち着用者のあごで）連結される。これら半円形の部分１６，１８は、より詳細に以下に記述されるように、取り外し可能な留め手段により着用者のうなじにて相互におよび後方部材１４に結合される。
【００２２】
２つの部分１６，１８は、使用中にヘルメット（図示せず）の下面に対して当接することができる上面２９ａ，２９ｂと、カラー部材１２から器具の肩および胸の上部へと下方に延在するパッド入りの突起２４ａ，２４ｂとを有する。これらの突起２４ａ，２４ｂは、衝突によって僅かに変形する硬質材料、例えば高密度発泡体などや、より軟質の材料で作られることができ、使用中に着用者の肩および胸の上部にもたせ掛けるようになっている。
【００２３】
２つの部分１６，１８は、これらの後部に特定な形状を有している。これらの後端部１７，１９は、互いの方に曲げられ、湾曲し、カラー部材１２から外側に突出するリップ８４ａ，８４ｂで縁取られた円形の平坦な領域８２ａ，８２ｂで終わる。各平坦な領域８２ａ，８２ｂの中央部には、その中心に円形の拡大部を持つ長方形の横方向溝８８ａ，８８ｂがある（全体的な形状が鍵穴に似ている）。平坦な領域８２ｂは、僅かな奥行のある四角形の（または概ね多角形の）凹部８３を有し、その対角に溝８８ｂが得られる。凹部８３の設備は、横方向突出ピン９６を持った円筒状の本体９４を有する独立した固定キー９２に設けられた平坦な頭部９０のそれに対応する。ピン９６の長さは、溝８８ａ，８８ｂのそれと同じである。あるいは、固定キー９２を個別部品に代えて一方の部分１８に同様に一体成形可能であり、領域８２ｂおよび溝８８ｂに対する必要性を排除する。
【００２４】
２つの丸い端部１７，１９は、相互に重なり合って相互に回転できるように形成されている。これは、上部領域８２ｂをぴったりと収容するように僅かにへこませた下側の支持平坦領域８２ａの結果である。２つの丸い端部１７，１９を重ね合わせて取り付けた場合、溝８８ａ，８８ｂの中心の円形の拡大部が整列する。しかしながら、溝８８ａ，８８ｂの向きが同じではない、すなわちこれらはカラー部材１２の相対的片方の部分１６，１８の長手方向軸線が異なる角度に形成されているため、両方の部分１６，１８が所定の開き角度位置にある場合にのみ、溝８８ａ，８８ｂを整列させることができることに注意しなければならない。
【００２５】
両方の部分１６，１８が平行（カラー部材１２を閉じた形状）な場合に溝８８ａ，８８ｂは整列せず、これに対して両方の部分１６，１８を所定量（カラー部材１２を開いた形状）だけ広げた場合にこれらが必ず整列することが望ましい。このカラー部材１２の使用および着用方法が以下に与えられよう。
【００２６】
後方部材１４は、乗員の衣服にある複数のスタッドと協力してこれをその上に固定することができる複数の開口３４（１つのみ示している）を持った半楕円形のベース板６０（任意の適当な種類のプラスチックまたは金属材料から作られる）を有する。この固定のためにベルクロも同様に用いることができる。
【００２７】
ベース板６０を流線形の隆起部４５に収容することができるように、２つのアーチ状の脚部７２ａ，７２ｂと上板７４とによって構成され、蝶番式に取り付けられる支持部材７０がある。脚部７２ａ，７２ｂは板７４の下から突出してベース板６０に当接するのに対し、上板７４は縁部に設けられてピン７８が貫通する２つの円筒状ブシュ７６ａ，７６ｂを有する。支持部材７０の底面図に関する図２の破線の円を参照のこと。
【００２８】
ピン７８はまた、ベース板６０の縁部にある３つのブシュ８０ａ，８０ｂ，８０ｃに係合し、それによって後者を支持部材７０に対して蝶番式に取り付けている。
【００２９】
上板７４は、寸法が溝８８ａ，８８ｂと等しいけれども両方の部分１６，１８が平行の場合にこれらに対して異なる向きを持った横方向溝７５を有する。脚部７２ａ，７２ｂに面する上板７４の表面の溝７５のそばには、２つのレンズ状くぼみ９８ａ，９８ｂがある。
【００３０】
首装具１０を以下のように着用することができる。
【００３１】
板６０は、スタッド留め具とベルクロとを用いて乗員の衣服に装着され、支持部材７０がピン７８を用いてこれに装着される。板６０の端縁に脚部７２ａ，７２ｂを当接させることにより、支持部材７０はカラー部材１２の後方への自由度を規定し、そして異なる寸法の脚部７２ａ、７２ｂを持った交換部品７０により、この装具の角度を調整できることに注意すべきである。次に、流線形であって外観を整える目的のためのパッド入りの隆起部４５が板６０の後部に装着される。
【００３２】
固定キー９２が溝８８ｂに挿入され、その頭部９０が相補的な凹部８３に嵌合され、それによってこれを片方の部分１８と一体に回転できるようにする。
【００３３】
次に、２つの部分１６，１８が広げられて重ね合わされ、溝８８ａ，８８ｂを整合させる。次に、固定キー９２のピン９６が同様に片方の部分１６の溝８８ａに挿入される。
【００３４】
次に、カラー部材１２を装着するため、使用者はこれを背中から首越しに前部まで滑るように動かす。次に、使用者は２つの部分１６，１８を閉じずにカラー部材１２を後方に下げ動かし、ピン９６を支持部材７０の溝７５に係合させる。次に、使用者はこの時点で両方の部分１６，１８を回して首の近くにこれらを引き寄せ、これらを前部のバックル２０で締結する。この単一動作は、固定キー９２、それゆえピン９６を支持部材７０の下側に回転させる。従って、ピン９６はくぼみ９８ａ，９８ｂを飛び越えてその他方側に固定されて留まる。このように、２つの部分１６，１８は回転後に溝７５から脱出できないピン９６によって支持部材７０に（それゆえ乗員の衣服に）結合される。
【００３５】
カラー部材１２を取り外すため、使用者はバックル２０を開き、両方の部分１６，１８を引き離す。これは、ピン９６が溝７５と整合するように固定キー９２を回転させると共に両方の部分１６，１８がこれらから解放されよう。支持部材７０から自由になると、両方の部分１６，１８は、ピン９６が溝８８ａと整合して２つの部分１６，１８が別々になることができるように、切り離し続けることができる。これは、この装具１０の全体的な寸法を減少させ、これの保管および運搬をより容易にする。
【図１】
2010519978.tif 000003
【図２】
2010519978.tif 000004
【図３】
2010519978.tif 000005
【国際調査報告】
2010519978.tif 000006
2010519978.tif 000007